(57)【要約】【課題】  高品質且つ低コストの擬似動画像冊子の作製方法及びこの方法で作成した擬似動画像冊子を提供する。【解決手段】  本発明の擬似動画像冊子の作製方法は、図柄が描かれた1枚のページを冊子状に2枚以上重ね合わせて成り、ページ捲りによって当該図柄が動いているかのような視覚的効果を与える擬似動画像冊子100の作製方法において、1つの静止画像データに対して前記1枚のページに相当する寸法で図柄データを切り出し、以後、直前に図柄データを切り出した位置と部分的に重複する位置で次の図柄データを切り出していくことを特徴とする。本発明では基本的に静止画像データを一つだけ用意すればよい。したがって、従来のように図柄が変化していく様子を各コマに時系列で描く煩雑さが不要になる。また、従来のように動画像データを編集・加工する必要がないので製造コストを抑えることができる。【選択図】図１
2016087991.tif 000002
【特許請求の範囲】
【請求項１】
図柄が描かれた1枚のページを冊子状に2枚以上重ね合わせて成り、ページ捲りによって当該図柄が動いているかのような視覚的効果を与える擬似動画像冊子の作製方法において、
1つの静止画像データに対して前記1枚のページに相当する寸法で図柄データを切り出し、
以後、直前に図柄データを切り出した位置と部分的に重複する位置で次の図柄データを切り出していくことを特徴とする擬似動画像冊子の作製方法。
【請求項２】
前記各ページの共通した位置に特定の図柄を描くことを特徴とする請求項1に記載の擬似動画像冊子の作製方法。
【請求項３】
前記静止画像データを構成する図柄の一部を変化させることを特徴とする請求項1又は2に記載の擬似動画像冊子の作製方法。
【請求項４】
擬似動画像冊子がメモ帳であることを特徴とする請求項1〜3のいずれか一項に記載の擬似動画像冊子の作製方法。
【請求項５】
請求項1〜4のいずれか一項に記載の擬似動画像冊子の作製方法で作製したことを特徴とする擬似動画像冊子。
【発明の詳細な説明】
【技術分野】
【０００１】
本発明は、ページ捲りによって図柄が動いているかのような視覚的効果を与える擬似動画像冊子の作製方法及びこの方法で作製した擬似動画像冊子に関する。
【背景技術】
【０００２】
従来、いわゆるパラパラ漫画やflipbookと呼ばれる、高速でページを捲った際の残像を利用して、各ページに描かれた図柄が動いているかのような視覚的効果を使用者に与える冊子状媒体（以下、「擬似動画像冊子」という。）が知られている。
擬似動画像冊子の作製方法としては、1枚の紙を例えば8コマ程度の均等サイズにコマ割りし、キャラクターや背景等の図柄が少しずつ変化していく様子を時系列で各コマに描き、必要に応じて同様の作業を複数枚の紙に行い、各コマを裁断して時系列に重ねて冊子状に綴じるのが一般的である。
また、例えばビデオカメラ等で撮影した動画像データの中から切り出した複数の静止画像や、デジタルカメラ等で撮影した複数の静止画像を紙に出力し、時系列で重ねて綴じることで擬似動画像冊子を作製する技術も知られている（特許文献1及び2参照）。
【先行技術文献】
【特許文献】
【０００３】
【特許文献１】特開2010-155372号公報
【特許文献２】実用新案登録第3131693号公報
【発明の概要】
【発明が解決しようとする課題】
【０００４】
しかし、上記従来技術では以下のような問題がある。
すなわち、各コマを裁断して冊子状に綴じる一般的な方法の場合、図柄が変化していく様子を各コマに時系列で描く作業が煩雑で時間がかかるという問題がある。
また、ビデオカメラ等で撮影した動画像データを使用する方法の場合、データの編集・加工に要するコストが大きいという問題がある。
また、デジタルカメラ等で撮影した複数の静止画像を使用する方法の場合、フレームレート（fps）が極端に小さくなるため、高品質の擬似動画を得ることが困難という問題がある。
【０００５】
本発明は、このような問題を考慮して、高品質且つ低コストの擬似動画像冊子の作製方法及びこの方法で作成した擬似動画像冊子を提供することを目的とする。
【課題を解決するための手段】
【０００６】
本発明の擬似動画像冊子の作製方法は、図柄が描かれた1枚のページを冊子状に2枚以上重ね合わせて成り、ページ捲りによって当該図柄が動いているかのような視覚的効果を与える擬似動画像冊子の作製方法において、1つの静止画像データに対して前記1枚のページに相当する寸法で図柄データを切り出し、以後、直前に図柄データを切り出した位置と部分的に重複する位置で次の図柄データを切り出していくことを特徴とする。
また、前記各ページの共通した位置に特定の図柄を描くことを特徴とする。
また、前記静止画像データを構成する図柄の一部を変化させることを特徴とする。
また、擬似動画像冊子がメモ帳であることを特徴とする。
本発明の擬似動画像冊子は、上記の擬似動画像冊子の作製方法で作製したことを特徴とする。
【発明の効果】
【０００７】
本発明の擬似動画像冊子の作製方法では基本的に静止画像データを一つだけ用意すればよい。したがって、従来のように図柄が変化していく様子を各コマに時系列で描く煩雑さが不要になる。また、従来のように動画像データを編集・加工する必要がないので製造コストを抑えることができる。更に、図柄データを切り出す量を調節することで擬似動画のフレームレートを自在に調節できるので、図柄データを大量に切り出すことでフレームレートを大きくした高品質の擬似動画像冊子を得られ、図柄データを少量切り出すことでフレームレートを小さくした低コストの擬似動画像冊子を得ることができる。
また、各ページの共通した位置に特定の図柄を描く場合、各ページに描かれている図柄全体が移動している中で、当該特定の図柄のみが留まった状態になるので、相対的に当該特定の図柄の方が移動しているような視覚的効果を得られる。
また、静止画像データを構成する図柄の一部を変化させることにすれば、各図柄は全体として一方向に移動しながら、当該一部の図柄がそれ単独でも変化するので、より複雑で高品質な擬似動画像を得られる。
また、擬似動画像冊子をメモ帳にすれば、販売促進用や地域振興用のノベルティグッズとして用いることができる。
【図面の簡単な説明】
【０００８】
【図１】静止画像を示す図
【図２】第1ページを示す図
【図３】第2ページの作製方法を示す図（a）及び第2ページを示す図（b）
【図４】第3ページの作製方法を示す図（a）及び第3ページを示す図（b）
【図５】第4ページの作製方法を示す図（a）及び第4ページを示す図（b）
【図６】第5ページの作製方法を示す図（a）及び第5ページを示す図（b）
【図７】第6ページの作製方法を示す図（a）及び第6ページを示す図（b）
【図８】第7ページの作製方法を示す図（a）及び第7ページを示す図（b）
【図９】全てのページを出力した状態を示す図
【図１０】擬似動画像冊子を示す図
【図１１】第2の実施の形態において図柄の一部を変化させた状態を示す図（ａ）〜（f）
【図１２】パラグライダー及びハンググライダーが近づいてきて方向転換する様子を表す図（a）〜(f)
【発明を実施するための形態】
【０００９】
［第1の実施の形態］
本発明の擬似動画像冊子の作製方法の第1の実施の形態について説明する。
本実施の形態では擬似動画像冊子としてメモ帳を作製するものとし、理解を容易にするために擬似動画同冊子のページ数を一般的なメモ帳よりも少ない全7ページとする。
なお、擬似動画像冊子を作製するためのシステムは、画像編集処理装置や印刷・製本装置等の一般的なものを用いることができるので説明を省略する。
【００１０】
図1は擬似動画の基となる静止画像10であり、本実施の形態では金沢の秋の風景として、野山、川、草花、野菜、建築物、人物、空等の多数の図柄で構成されている。この静止画像10を生成するためのデータが「静止画像データ」に該当する。図1中の枠20はメモ帳の1ページに相当する寸法に設定してある。
図2に示すように、静止画像データに対して枠20に収まる寸法で図柄データを切り出し、紙状媒体に出力することで擬似動画像冊子の最初の第1ページP1を作製する。なお、紙状媒体とは、紙等の印刷媒体と共通の形態的特徴を有するもの全般を指し、紙以外にもプラスチック製や木製の薄板等であってもよい。
第1ページには特定の図柄30としての新幹線31と罫線32が描かれている。具体的には、第1ページの下部に新幹線31が描かれており、その上方に罫線32が描かれている。また、罫線32の背景を空にすることで当該箇所に文字等を記入し易くなり、擬似動画像冊子をメモ帳として使用できるようにしている。このような特定の図柄30（本実施の形態では新幹線31と罫線32）は第1ページP1のみならず、擬似動画像冊子を構成する全てのページP1〜P7に共通して描かれる。
【００１１】
次に、図3（a）に示すように第1ページP1用として切り出した枠20の位置A1と部分的に重複する位置A2（本実施の形態では右方向に少し移動した位置）に枠20を移動させ、当該位置で次の図柄データを切り出すことで図3（b）に示すように第2ページP2を作製する。
以後、同様の手順で、直前に図柄データを切り出した枠20の位置と部分的に重複する位置で右方向に次の図柄データを切り出していくことで複数のページを作製する（図4〜図8参照）。
ここで、枠20をどれだけの距離移動させて図柄データを切り出していくかは静止画像10の寸法（縦横の長さ）、擬似動画像冊子の仕様（A5,B6等の寸法、ページ数等）によって適宜変更可能である。例えば、全nページの擬似動画像冊子を作製する場合において、図8(a)に示すように第1ページの切り出し位置（枠20）の左端X1から最終ページの切り出し位置の左端Xnまでの長さをLとすると、各ページを切り出す際の枠20の移動距離はL/（n−1）にすればよい。枠20の移動距離を小さくするほど擬似動画像のフレームレートが大きくなるので、より滑らかで高品質な擬似動画像を得られるし、枠20の移動距離を大きくすることで擬似動画像冊子の総ページ数が少なくなり、製造コストを抑えることができる。
【００１２】
なお、枠20の移動距離を必ずしも均一にする必要はなく、静止画像10全体のうち滑らかな擬似動画を得たい範囲のみ枠20の移動距離を小さくすることにしてもよい。
また、必ずしも図柄データを切り出す毎に紙状媒体に出力する必要はなく、各ページ用の図柄データを一旦記憶装置に記憶させておき、全てのページP1〜P7の図柄データを切り出し終えた後にまとめて紙状媒体に出力することにしてもよい。
図9に示すように全てのページP1〜P7を出力し、図10に示すように冊子状に重ね合わせて綴じることで擬似動画像冊子100の作製が完了する。完成した擬似動画像冊子100でページ捲りを行なうと、各ページに描かれている図柄は左方向に移動していき、特定の図柄30としての新幹線31及び罫線32は各ページの同じ位置に留まったままなので、新幹線31が風景の中を相対的に右方向に移動しているような視覚的効果を得ることができる
なお、本発明において新幹線31等の特定の図柄30を各ページに共通して描くことは必須の要件ではなく、仮に新幹線31等を描かない場合には、風景全体が左方向に移動していく視覚的効果を得ることができる。
【００１３】
［第2の実施の形態］
次に、本発明の擬似動画像冊子の作製方法の第2の実施の形態について説明するが、上記第1の実施の形態と同一の構成となる箇所については同一の符号を付してその説明を省略する。
本実施の形態では、静止画像10データを構成する図柄の一部を変化させる点に特徴を有する。
具体的には、図11に示すように野菜を抱えた男性がジャンプする(a1)及び（a2）、街路樹が落葉する(b1)〜(b3)、花（コスモス）が枯れる(c1)及び（c2）、パラグライダー及びハンググライダーが近づきながら方向転換する(d)及び（e）、提灯を持った女性がまばたきすると共に背景が次第に暗くなっていく(f1)〜(f3)というように各図柄が変化していく。
【００１４】
このように、本実施の形態では、第1の実施の形態と同様に新幹線31が風景の中を相対的に右方向に移動すると共に、一部の図柄がそれ単独でも変化するので、より複雑で高品質な擬似動画像を得られる。図12（a）〜(f)は、右方向に進行中の新幹線31にパラグライダー40及びハンググライダー41が近づいてきて方向転換する様子を表している。
なお、上記実施の形態では擬似動画像冊子100の例としてメモ帳を用いて説明したが、これに限らず、例えばノート、書籍、付箋等のページ捲りが可能な冊子状の媒体であればよく、また、擬似動画像を見ること自体を使用目的とした冊子であってもよい。
【産業上の利用可能性】
【００１５】
本発明は、高品質且つ低コストの擬似動画像冊子の作製方法及びこの方法で作成した擬似動画像冊子に関するものであり、産業上の利用可能性を有する。
【符号の説明】
【００１６】
P1〜P7 第1〜第7ページ
10 静止画像
20 枠
30 特定の図柄
31 新幹線
32 罫線
40 パラグライダー
41 ハンググライダー
100 擬似動画像冊子
【図１】
2016087991.tif 000003
【図２】
2016087991.tif 000004
【図３】
2016087991.tif 000005
【図４】
2016087991.tif 000006
【図５】
2016087991.tif 000007
【図６】
2016087991.tif 000008
【図７】
2016087991.tif 000009
【図８】
2016087991.tif 000010
【図９】
2016087991.tif 000011
【図１０】
2016087991.tif 000012
【図１１】
2016087991.tif 000013
【図１２】
2016087991.tif 000014